(57)【要約】【課題】  伸縮する紐状の部材を使用した足腰の筋肉トレーニング器において、伸縮部材が切れた際の跳ね返りが足に当たることを防ぐ器具を課題とする。【解決手段】  本発明の一態様は上面に足を乗せる足置き部を有する足置き部材の任意の箇所に、伸縮性と柔軟性を有し、且つ或る長さを有する、紐状又は帯状又は管状又は其の他の形状の伸縮部材の片側が接続されている。そして、他片側には足を掛ける足掛け部材が環状に形成され接続されている。少なくとも以上の構造を有する筋肉トレーニング器の足掛け部材において、足掛け部材の環状部分の少なくとも一部を内側と外側に或る間隔を有して、少なくとも二重とし、内側に足当て部、外側に緩衝部を形成する。そして該緩衝部と縮部材の片側が交差又は接続していることを特徴とする筋肉トレーニング器。【選択図】図２
2011056208.tif 000002
【特許請求の範囲】
【請求項１】
上面に足を乗せる足置き部を有する足置き部材の任意の箇所に、伸縮性と柔軟性を有し、且つ或る長さを有する、紐状又は帯状又は管状又は其の他の形状の伸縮部材の片側が接続されている。そして、他片側には足を掛ける足掛け部材が環状に形成され接続されている。少なくとも以上の構造を有する筋肉トレーニング器の足掛け部材において、足掛け部材の環状部分の少なくとも一部を内側及び外側に或る間隔を有して、少なくとも二重にし、内側に足当て部、外側に緩衝部を形成する。そして、該緩衝部と伸縮部材の片側が交差又は接続していることを特徴とする筋肉トレーニング器。
【発明の詳細な説明】
【技術分野】
【０００１】  本発明は足腰の筋肉を鍛えるための筋肉トレーニング器の足を掛ける足掛け部材に関する。
【背景技術】
【０００２】  従来、足腰の筋肉を鍛えるための器具は色々提供されてきているが、その中に本発明者が以前特許出願した、以下の器具がある。それは片側の足を乗せる板状の部材に紐状のゴム材（伸縮部材）を取り付け、該ゴム材の片側に他片側の足の先を掛けるための、環状の足掛け部材を形成したものである。この器具は足を置く箇所に片足を乗せ、他片足を足掛け部に差しこんで任意の方向にゴム材を引き張り、足腰の筋肉を鍛えるものである。このアイディアは本発明の発明者が特願２００６−３５７２９７で出願している。このアイディアを実施した場合、一つの問題が生ずる。それはゴム材が切れた際、足掛け部材及び足に切れた跳ね返りのゴム材が当たり、足を痛めてしまうことである。
【発明が解決しようとする課題】
【０００３】  本発明においては、伸縮部材が切れた際の跳ね返りを緩衝することのできる足掛け部材を有する筋肉トレーニング器を提供することを課題とする。
【課題を解決するための手段】
【０００４】  上記課題を解決する為に、本発明は次ぎの如き筋肉トレーニング器を提供する。
１、上面に足を乗せる足置き部を有する足置き部材の任意の箇所に、伸縮性と柔軟性を有し、且つ或る長さを有する、紐状又は帯状又は管状又は其の他の形状の伸縮部材の片側が接続されている。そして、他片側には足を掛ける足掛け部材が環状に形成されて接続されている。少なくとも以上の構造を有する筋肉トレーニング器の足掛け部材において、足掛け部材の環状部分の少なくとも一部を内側と外側に或る間隔を有して、少なくとも二重にし、内側に足当て部、外側に緩衝部を形成する。そして該緩衝部と伸縮部材の片側が交差又は接続していることを特徴とする筋肉トレーニング器。
【発明実施の形態】
【０００５】  以下、図面を参照しながら本発明の各種態様に係る筋肉トレーニング器に関して説明する。以下の説明は本発明の技術思想を具現化する幾つかの具体例を説明するものであり、本発明は以下の説明に限定されるものでは無い。
【０００６】  図１は本発明の一態様に係る筋肉トレーニング器の全体の形態を示す斜視図である。図１に示す筋肉トレーニング器は上面に足を乗せる足置き部２を有する足置き部材１に伸縮性と柔軟性を有する紐状の伸縮部材３が取り付けられており、該伸縮部材の片側に片側の足先を入れる足掛け部材４が取り付けられている。これを使用するには、片足を足置き部２に乗せ、他片足を足掛け部材４に差し入れて任意の方向に、伸縮部材３を引き伸ばすことに依り、足腰の筋肉を鍛えるものである。
【０００７】  図２は本発明に係る足掛け部材４の構造を部分的に示す平面図（ａ）と側面図（ｂ）である。図２に示す足掛け部材４には環状に形成された帯状の足掛け部材４の左右から外側に伸長する緩衝部６が形成されており、この部分で足掛け部材４が二重に分岐している。この構造において内側を足当て部５と云う。そして、外側の緩衝部６に伸縮部材３が接続されている。この場合、足当て部材５に接続しても良い。この点に就いては図３の平面図で示す。図３では緩衝部６に孔を開け伸縮部材３を交差・貫通させて当て部５に接続した形態となっている。この様に足当て部５と緩衝部６を形成することで、伸縮部材３を引き張っている際、伸縮部材３が足掛け部４から或る距離を有した所で切れた場合、伸縮部材３の跳ね返りを緩衝部６が受け、更に足当て部５が足を押え、緩衝部６との間にクッションを形成する為、衝撃を吸収することができ、跳ね返り及び衝撃が直接足に伝わることを防ぐことができるのである。
【０００８】  各部分の形状及び寸法及び材質に就いて説明すると、足置き部材１は足が乗せられる大きさを有していれば良く、縦横１０ｃｍ以上、高さは５ｃｍ以下程度が好ましい。材質は木材又はプラスチック又は金属などが良い。伸縮部材３は伸縮性を有するゴム材が好ましい。太さは１ｃｍ程度で長さは３０ｃｍ以上が好ましい。チューブ状のものでも良い。足掛け部材４は環の差し渡しが１０ｃｍ以上で幅は１０ｃｍ以下の帯状の部材が好ましい。帯の幅は任意であり一定である必要は無い。材質としては、布材又は皮材又はゴム材又は合成皮革などが選択できる。厚みは１ｃｍ以下が好ましい。内側にスポンジを張っても良い。又、柔軟性を有する部材と硬質の部材の複合であってもよい。又、足掛け部材４の環状と云うのは円形である必要は無い。角形であっても良い。又、足掛け部材４に形成した内側の足当て部５と外側の緩衝部６との間隔は実施上１０ｃｍ以下であることが好ましい。又、足当て部５と緩衝部６を二重以上にしても構わない。又、足当て部５と緩衝部６のどちらともが環状である必要は無い。どちらかが環状で無くとも、他片方が環状であれば足掛け部材４としての環状が保持できるので構わない。但しこの場合、使用し得る寸法及び材質は経験的に決定されるものとする。又、緩衝部６は図４の斜視図で示す様に板状の或る硬さを有する円形の部材を足掛け部材４に柔軟性を有する帯状の部材で接続しても良い。この際、更に円形の部材にクッションとなるゴム材などを取り付けても良い。図４においては説明のために緩衝部６に円形の部材を形成したが円形である必要は無い。又、足当て部５と緩衝部６は同じ帯状である必要は無い。足当て部５は紐状部材であっても良い。
【発明の効果】
【０００９】  本発明の足掛け部に依れば、伸縮部材が切れた際の衝撃を緩衝することができるので、器具を安全に使用することができる。
【図面の簡単な説明】
【００１０】
【図１】  本発明の一態様に係る筋肉トレーニング器の形態を示す斜視図である。
【図２】  本発明の一態様に係る筋肉トレーニング器の一部分の構造を示す平面図（ａ）と側面図（ｂ）である。
【図３】  本発明の一態様に係る筋肉トレーニング器の一部分の構造を示す平面図である。
【図４】  本発明の一態様に係る筋肉トレーニング器の一部分の形態を示す斜視図である。
【符号の説明】
【００１１】１、足置き部材
２、足置き部
３、伸縮部材
４、足掛け部材
５、足当て部
６、緩衝部
【図１】
2011056208.tif 000003
【図２】
2011056208.tif 000004
【図３】
2011056208.tif 000005
【図４】
2011056208.tif 000006